(57)【要約】【課題】  簡素な構成で所定角度の線引きと目印の点付けを容易に行うことができるけがき用定規を提供する。【解決手段】  第１平板部１０と第２平板部２０とが直角となるようにけがき用定規１を形成する。けがき用定規１の２つの内面を２×４木材４０に外接させることにより、２×４木材の角部の辺４１に対してけがき用定規１の辺３１、３２、３４、３５が垂直となる。よって、けがき用定規１を２×４木材４０に外接させた状態でけがき用定規１の辺３１、３４、または辺３２、３５に沿って線引きを行うことによって、２×４木材４０の辺４１の長さ方向に対して垂直な線引きを簡素な構成のけがき用定規を用いて容易に行うことができる。さらに第１平板部１０と第２平板部２０を木材に当接させて、穴２２〜２８の位置に点を打つことで、ビス止めなどに用いる複数の位置決めの点を一度に打つことができる。【選択図】              図２
2005262334.tif 000002
【特許請求の範囲】
【請求項１】
対象物に外接させる内側二面の各当接面が直角となるように形成され、
前記各当接面が長方形状に形成されていることを特徴とするけがき用定規。
【請求項２】
前記各当接面が接合する接合辺に垂直に、かつ前記接合辺から前記各当接面にかけて切り込み部を設けたことを特徴とする請求項１記載のけがき用定規。
【請求項３】
前記切り込み部を、前記接合辺方向の長さを２等分、３等分または４等分する位置に設けたことを特徴とする請求項２記載のけがき用定規。
【請求項４】
前記各当接面の少なくともいずれか一方の所定位置に、前記対象物にマーキングを行うための穴を設けたことを特徴とする請求項１から３のいずれか１に記載のけがき用定規。
【請求項５】
前記各当接面の少なくともいずれか一方が、正方形状に形成され、前記穴を設ける所定位置は、該正方形状に形成された当接面における前記正方形状の対角線上であることを特徴とする請求項４記載のけがき用定規。
【請求項６】
前記各当接面の少なくともいずれか一方において、前記各当接面が接合する接合辺と垂直に交差する辺の長さが、８９ｍｍまたは３８ｍｍに形成されていることを特徴とする請求項１から５のいずれか１に記載のけがき用定規。
【請求項７】
前記各当接面の辺の少なくともいずれかに目盛りを設けたことを特徴とする請求項１から６のいずれか１に記載のけがき用定規。
【発明の詳細な説明】
【技術分野】
【０００１】
本発明は、木材等の対象物に線引きおよび目印付けを行うためのけがき用定規に関する。
【背景技術】
【０００２】
木材加工を行う際には、木材の辺に対して組み継ぎ加工の位置を示す分割線の線引や所定角度での線引を行う必要がある。また、ビス止めなどの目的では複数の位置に位置決めの目印の点をつける必要がある。
従来、木材等の辺に対して所定角度の線引きを行う定規として、たとえば特開平０８−２３８８９２号公報記載のようなものがある。
これは、分度器と当該分度器に回動可能に取り付けられた線引き用の定規とを備え、木材等の辺と分度器の基準線とを合わせ、定規を分度器の目盛りにしたがって線引きを行いたい所定角度に回動させて定規に沿って線引きを行うことによって、木材等の辺に対して所定角度の線引きを行うことができるものである。
【特許文献１】特開平０８−２３８８９２号公報
【発明の開示】
【発明が解決しようとする課題】
【０００３】
しかしながらこのような従来の定規においては、角度を測るための分度器を構成要素として備えているため、構造が複雑となるといった問題があった。
一方、位置決めの目印の点付けは、従来では適当にあるいは定規で繰り返し測りながら、一つずつ点を打って行くのが普通で、２×４材のようなインチ寸の木材に、換算をしながらセンチ目盛りの定規で繰り返し目印の点をつけるのは面倒な作業であった。
本発明はこのような問題点に鑑み、簡素な構成で所定角度の線引きを行ったり、細かい計算をすることなくセンター線や２分割、３分割、４分割などの線を引いたり、目印の点付けを何度も作業を繰り返すことなく一度に容易に行うことができるけがき用定規を提供することを目的とする。
【課題を解決するための手段】
【０００４】
このため請求項１の発明は、対象物に外接させる内側二面の各当接面が直角となるように形成され、各当接面を長方形状に形成するものとした。
請求項２の発明は、各当接面が接合する接合辺に垂直に、かつ接合辺から各当接面にかけて切り込み部を設けるものとした。
請求項３の発明は、切り込み部を、接合辺の長さを２等分、３等分または４等分する位置に設けるものとした。
【０００５】
請求項４の発明は、各当接面の少なくともいずれか一方の所定位置に、対象物にマーキングを行うための穴を設けるものとした。
請求項５の発明は、各当接面の少なくともいずれか一方が、正方形状に形成され、穴を設ける所定位置は、該正方形状に形成された当接面における正方形状の対角線上であるものとした。
【０００６】
請求項６の発明は、各当接面の少なくともいずれか一方において、各当接面が接合する接合辺と垂直に交差する辺の長さが、８９ｍｍ（３インチ１／２）または３８ｍｍ（１インチ１／２）に形成されているものとした。
請求項７の発明は、各当接面の辺の少なくともいずれかに目盛りを設けるものとした。
【発明の効果】
【０００７】
請求項１記載の発明によれば、対象物の角部の辺と、けがき用定規の各当接面が接合する接合辺とを対向させて、けがき用定規を対象物に外接させることにより、けがき用定規における接合辺と垂直に交差する辺が、接合辺を対向させた対象物の角部の辺に対して垂直となる。
このように、けがき用定規における接合辺と垂直に交差する辺に沿って線引きを行うことによって、対象物の辺に対して垂直な線引きを簡素な構成のけがき用定規を用いて容易に行うことができる。
【０００８】
また請求項２記載の発明によれば、接合辺に垂直に、かつ接合辺から各当接面にかけて切り込み部を設ける。
これによって、対象物にけがき用定規を外接させて切り込み部を介してマーキングを行うことにより、対象物の辺に対して垂直な線分を容易に得ることができる。
【０００９】
さらに請求項３記載の発明によれば、切り込み部を接合辺方向の長さの２等分、３等分または４等分する位置に設けることにより、対象物の幅が接合辺の長さと同一である場合に、対象物の幅方向の長さを２等分、３等分または４等分するマーキングを行うことができる。
【００１０】
請求項４記載の発明によれば、各当接面の少なくともいずれか一方の所定位置に、穴を設けたことにより、対象物にけがき用定規を当接させた状態で、当接面に設けられた穴から対象物に対してネジ止め位置などの複数のマーキングを同時に行うことができる。
あるいは請求項５記載の発明によれば、当接面を正方形状に形成し、該正方形状の対角線上に穴を設ける。そして、当該穴が設けられた当接面でない当接面において、接合辺と直交する辺のうちいずれか一方を対象物の一面に当接させ、該対象物の一面の辺が当接面に設けた穴の中心位置を通るようにけがき用定規を配置することにより、穴を設けた接合面において、接合辺と対向する辺が対象物の辺に対して４５度の傾斜となる。
これによって、この傾斜に沿って線引きを行うことにより、対象物の辺に対して４５度の傾斜を持つ線引きを容易に行うことができる。
【００１１】
また請求項６記載の発明によれば、接合辺と垂直に交差する当接面の辺の長さを、８９ｍｍまたは３８ｍｍに形成することにより、対象物の幅が８９ｍｍまたは３８ｍｍである場合に、容易に対象物の幅の２等分、３等分または４等分する位置にマーキングを行うことができる。
請求項７記載の発明によれば、当接面の辺に目盛りを設けることにより、当該目盛りにしたがって、所定長さの線引きを容易に行うことができる。
【発明を実施するための最良の形態】
【００１２】
次に本発明の実施の形態を実施例により説明する。
図１の（ａ）は実施例を示す正面図、（ｂ）は実施例を示す上面図、（ｃ）は実施例を示す側面図である。
ここで、けがき用定規１の素材としては、ステンレスなどの金属や樹脂などを適宜に用いることができる。例えば、長方形状の金属平板を直角に折り曲げ、または樹脂で直角に成形することによって形成された第１平板部１０と第２平板部２０とによって、側面形状がＬ字型のけがき用定規１が形成される。
第１平板部１０はそのＬ字形状内面（以下、第１内面１１と呼ぶ）が長方形状に形成され、第２平板部２０はそのＬ字形状内面（以下、第２内面２１と呼ぶ）が正方形状となっている。
【００１３】
第１平板部１０の第１内面１１において、折り曲げ若しくは樹脂成形によって形成されたＬ字形状内側の辺３０と直交する辺３１、３２（図１の（ａ）参照）の長さが、対象物として規格化された例えば２×４木材の横断面における短手側の長さ（３８ｍｍ）と同一に形成されている。
また正方形状に形成された第２平板部２０の第２内面２１の一辺の長さは、上記２×４木材の横断面における長手側の長さ（８９ｍｍ）と同一に形成される。
ここで、辺３０と直交する第２内面２１の辺を辺３４、３５とし、辺３０と対向する第２内面２１の辺を辺３６とする。すなわち、辺３４、３５の長さは上記２×４木材の横断面における長手側の長さと同一である。
第２平板部２０において、第２内面２１の２本の対角線上にそれぞれ２個ずつ木材等にマーキングを行うための穴２２〜２５を設ける。
【００１４】
また図１の（ａ）、（ｂ）に示すように、けがき用定規１における折り曲げ部角の外側の辺３７と垂直に、かつ辺３７から第１平板部１０と第２平板部２０とにかけて辺３７の長さ方向を４等分する切り込み部５０、５１、５２を設け、また辺３７の長さ方向を３等分する切り込み部５３、５４を設ける。
この切り込み部５０、５１、５２、５３、５４は、けがき用定規１のＬ字形状外側の面から内側の面にかけて、その切り込み溝幅が狭められたテーパー形状に形成されている。
【００１５】
本実施例は以上のように構成され、第１平板部１０と第２平板部２０とが直角となるようにけがき用定規１を形成することにより、図２に示すように、けがき用定規１のＬ字形状内側の辺３０と２×４木材の角部の辺４１とを対向させて第１内面１１と第２内面２１とを２×４木材４０の外周面に密着させることにより、辺３０を対面させた２×４木材の角部の辺４１に対してけがき用定規１の辺３１、３２、３４、３５が垂直となる。
したがって、けがき用定規１を２×４木材４０に外接させた状態でけがき用定規１の辺３１、３４、または辺３２、３５に沿って線引きを行うことによって、２×４木材４０の辺４１の長さ方向に対して垂直な線引きを簡素な構成のけがき用定規を用いて容易に行うことができる。
【００１６】
また、けがき用定規１の辺３７の長さ方向を２等分する切り込み部５１を設けたことにより、図３の（ａ）に示すように、２×４木材４０Ａの端面４３Ａにけがき用定規１の第２内面２１を当接させ、第１内面１１を木材面４４Ａに当接させて切り込み部５１を介して２×４木材４０Ａにマーキングを行うことにより、２×４木材４０Ａの横断面長手方向を２等分する線分６０を容易に得ることができる。
また上記状態で第１平板部１０の辺３８（図１の（ａ）、（ｃ）参照）に沿って、木材面４４Ａの端部から線分６０まで線引きを行うことにより、端面４３Ａの長手側の辺と平行に、かつ該長手側の辺から３８ｍｍ離れた線分６１を容易に得ることができる。すなわち線分６１と端面４３Ａの長手側の辺との距離は、２×４木材の横断面における短手側の辺の長さと同一となる。
【００１７】
この２×４木材４０Ａにマーキングされた線分６０、６１に沿って、２×４木材４０Ａ端部の一部を切り落とし、該切り落とした２×４木材４０Ａの端部と、同様に切り落として形成した２×４木材４０Ｂの端部とを、それぞれの２×４木材４０Ａ、４０Ｂとが垂直となるように結合させることにより、２×４木材の２分割組継ぎを行うことができる。
このように、２分割組継ぎに用いる線引きを、切り込み部５１と第１平板部１０の辺３８とを用いることによって容易に行うことができる。
【００１８】
また、けがき用定規１の辺３７の長さを３等分する切り込み部５３、５４を設けたことにより、図３の（ｂ）に示すように、２×４木材４０Ｃの端面４３Ｃにけがき用定規１の第２内面２１を当接させ、第１内面１１を木材面４４Ｃに当接させて切り込み部５３、５４を介して２×４木材４０Ｃにマーキングを行うことにより、２×４木材４０Ｃの横断面長手方向を３等分する線分６２、６３を容易に得ることができる。
また上記２分割組継ぎの場合と同様に、けがき用定規１における第１平板部１０の辺３８に沿って、２×４木材４０Ｃの木材面４４Ｃに線引きを行うことにより、端面４３Ｃの長手側の辺と平行に、かつ該長手側の辺から３８ｍｍ離れた線分６４を容易に得ることができる。
【００１９】
この２×４木材４０Ｃにマーキングされた線分６２、６３、６４に沿って、２×４木材４０Ｃの端部の両脇を切り落として端部を凸上に形成し、２×４木材４０Ｃと同様にマーキングされた２×４木材４０Ｄの端部の中央部を、マーキングされた線分に沿って切り落として端部を凹状に形成する。
これらの２×４木材４０Ｃ、４０Ｄの端部を、それぞれの２×４木材４０Ｃ、４０Ｄとが垂直となるように結合させることにより、２×４木材の３分割組継ぎを行うことができる。
このように、３分割組継ぎに用いる線引きを、切り込み部５３、５４と第１平板部１０の辺３８とを用いることによって容易に行うことができる。
【００２０】
さらに、けがき用定規１の辺３７の長さを４等分する切り込み部５０、５１、５２を設けたことにより、図３の（ｃ）に示すように、上記２分割組継ぎ、３分割組継ぎの場合と同様に切り込み部５０、５１、５２を用いて２×４木材４０Ｅにマーキングを行うことにより、２×４木材４０Ｅの横断面長手方向を４等分する線分６５、６６、６７を容易に得ることができる。
また上記２分割組継ぎ、３分割組継ぎの場合と同様に、けがき用定規１における第１平板部１０の辺３８に沿って、２×４木材４０Ｅの木材面４４Ｅに線引きを行うことにより、端面４３Ｅの長手側の辺と平行に、かつ該長手側の辺から３８ｍｍ離れた線分６８を容易に得ることができる。
【００２１】
この２×４木材４０Ｅにマーキングされた線分６５、６６、６７、６８に沿って２×４木材４０Ｃの端部を交互に切り落として端部を凹凸に形成し、２×４木材４０Ｅと同様にマーキングされた２×４木材４０Ｆの端部を、マーキングされた線分に沿って交互に切り落として端部を凹凸に形成する。
これらの２×４木材４０Ｅ、４０Ｆの端部を、それぞれの２×４木材４０Ｅ、４０Ｆとが垂直となるように結合させることにより、２×４木材の４分割組継ぎを行うことができる。
このように、４分割組継ぎに用いる線引きを、切り込み部５０、５１、５２と第１平板部１０の辺３８とを用いることによって容易に行うことができる。
【００２２】
さらに図４に示すように、第１内面の辺３１を２×４木材４０の木材面４２に当接させ、該辺３１を当接させた木材面４２と２×４木材４０の角部の辺４１を介して直交する木材面４３にけがき用定規１の第２内面２１を密着させ、さらに２×４木材４０の辺４１が第２平板部２０に設けた穴２２、２４の中心位置を通るようにけがき用定規１を辺３１を中心として傾斜させることにより、第２内面２１の辺３６が２×４木材４０の辺４１に対して４５度の傾斜となる。
よって、上記状態でけがき用定規１の辺３６に沿って線引きを行うことによって、２×４木材の辺４１に対して４５度の傾斜を持つ線引きを容易に行うことができる。
【００２３】
また図１の（ａ）に示すように、第１平板部１０上において、辺３０と平行かつ辺３０から１９ｍｍ離れた線上に穴２６、２７を設け、さらに該線の中心位置に穴２８を設ける。
これによって図５の（ａ）に示すように、２×４木材の端面４３と、けがき用定規１における第１平板部１０の第１内面１１とを整合させて当接させ、第１平板部１０に設けた穴２６、２７から木材の端面４３にマーキングを行い、マーキングされた印を直線でつなぐことによって木材の端面４３の短手側の辺を２等分する線分４５が得られる。
【００２４】
また穴２８を介してマーキングされた印上を通過するように、上記図２を用いて説明した方法を用いて木材の端面４３の長手側の辺から垂直に線引きを行うことによって、端面４３の長手側の辺を２等分する線分４６を得ることができる。
なお、穴２６〜２８を、辺３０から１９ｍｍ離れた線上に設けるものとしたが、図１の（ａ）に示すように、辺３０と平行にかつ辺３０から９．５ｍｍ離れた線上に穴２６Ａ〜２８Ａを設けてもよい。
この場合には、図５の（ｂ）に示すように１×４木材の端面４３Ｇに上記と同様に短手側および長手側の辺を２等分する線分４５Ａ、４６Ａを得ることができる。
【００２５】
さらに、穴２６〜２８の間隔を等間隔にし、２×４木材の端面に等間隔にマーキングを行い、等間隔の印上を通過するように木材端面の長手側の辺から垂直に線引きを行うことによって、木材端面の長手側の辺を４等分することができる。
これによって、木材端面の長手側の辺を４等分する線分を用いて、上記図３の（ｃ）に示すような４分割組継ぎの際の目印とすることができる。
なお、穴の数や穴の間隔を変更することにより、たとえば２分割組継ぎなど他の組継ぎの目印とすることができる。
またさらに、木材端面の中心線等を引くために第１平板部１０に穴２６〜２８を設けるものとしたが、第２平板部２０に穴を設けることもできる。
【００２６】
あるいは図１の（ａ）、（ｂ）に示すように、けがき用定規１の辺３２、３４、３５に目盛りを設けることにより、線引きの際に、目盛りにしたがって所定長さの線引きを容易に行うことができる。
【００２７】
また図６の（ａ）に示すように、２×４木材４０の木材面４４にけがき用定規１の第１内面を当接させ、２×４木材４０の端面４３（図６の（ａ）中、２×４木材４０の下面）にけがき用定規１の第２内面を当接させて、第１平板部１０に設けられた穴２６、２７（図１の（ａ）参照）を介してマーキングを行うことにより、木材面４４に印し７０、７１を得る。この印し７０、７１と、端面４３の長手側の辺との距離が１９ｍｍ（２×４木材の横断面における短手側の辺の長さの半分）となる。
よって図６の（ａ）に示すように２×４木材４０の木材面４４Ｈ（図６の（ａ）中、２×４木材４０Ｈの下面）と２×４木材４０の端面４３とが同一面となるように２×４木材４０と２×４木材４０Ｈとを直交させて当接させた場合、２ヶ所止めを行うために印し７０、７１から２×４木材４０Ｈに向けて打ち込んだ釘等を、２×４木材４０Ｈの横断面短手側の辺の中央に位置させることができる。
【００２８】
さらに図６の（ｂ）に示すように、けがき用定規１の第１平板部１０を２×４木材４０の木材面４４に当接させ、第１平板部１０に設けられた２６、２７、２８を介してマーキングを行うことにより、２×４木材同士を釘等で３ヶ所止めによって結合する際の印し７２、７３、７４を得ることができる。
あるいは図６の（ｃ）に示すように、けがき用定規１の第２平板部２０を２×４木材４０の木材面４４に当接させ、第２平板部２０に設けられた穴２２、２３、２４、２５を介してマーキングを行うことにより、２×４木材の幅が広い側の面同士を重ね合わせて釘等で４ヶ所止めによって結合する際の印し７５、７６、７７、７８を得ることができる。
【００２９】
また図７の（ａ）に示すように、２×４木材４０の木材面４４にけがき用定規１の第２内面２１（図１の（ｃ）参照）を当接させ、木材面４２にけがき用定規１の第１内面１１（図１の（ｃ）参照）を当接させて、第２平板２０の辺３４、３５に沿って線引きを行うことによって平行な線分を得る。この平行な線分を、２×４木材４０と２×４木材４０Ｊとを垂直に、かつ各木材４０、４０Ｊの幅が広い側の面同士を重ね合わせる際の位置決め用の目印とすることができる。
さらに図７の（ｂ）に示すように、２×４木材４０の木材面４４に、けがき用定規１の第１平板部１０を当接させ、けがき用定規１の辺３７と辺３８に沿って線引きを行うことによって、間隔Ａの平行な線分を得る。この間隔Ａの平行な線分は厚みがＡの木材４０Ｋを木材面４４に当接させる際の位置決め用の目印となる。
【図面の簡単な説明】
【００３０】
【図１】実施例を示す図である。
【図２】けがき用定規の使用例を示す図である。
【図３】組継ぎの例を示す図である。
【図４】けがき用定規の使用例を示す図である。
【図５】けがき用定規を用いて線引きを行った木材の端面を示す図である。
【図６】２ヶ所止め、３ヶ所止め、４ヶ所止めの例を示す図である。
【図７】けがき用定規の使用例を示す図である。
【符号の説明】
【００３１】
１    けがき用定規
１０    第１平板部
１１    第１内面  （当接面）
２０    第２平板部
２１    第２内面  （当接面）
２２、２３、２４、２５、２６、２７、２８    穴
３０    辺  （接合辺）
３１、３２、３４、３５、３６、３７、３８、４１    辺
４０    ２×４木材
４２    木材面
４３    端面
４４    木材面
５０、５１、５２、５３、５４    切り込み部
【図１】
2005262334.tif 000003
【図２】
2005262334.tif 000004
【図３】
2005262334.tif 000005
【図４】
2005262334.tif 000006
【図５】
2005262334.tif 000007
【図６】
2005262334.tif 000008
【図７】
2005262334.tif 000009